(57)【要約】【課題】バックライト及びそれを備える表示装置に関して、輝度の低下や色ムラを低減する。【解決手段】バックライトが備える導光板１１の主材料を塩化ビニリデン樹脂にする。【選択図】図２
2012119119.tif 000002
【特許請求の範囲】
【請求項１】
光源と、
前記光源から出射される光を入射する導光板とを備え、
前記導光板の主材料が塩化ビニリデン樹脂であることを特徴とするバックライト。
【請求項２】
前記光源がＬＥＤであることを特徴とする請求項１に記載のバックライト。
【請求項３】
前記導光板の縁部が拘束されていることを特徴とする請求項１または請求項２に記載のバックライト。
【請求項４】
シート状または板状の第１部材と、
シート状または板状の第２部材とを備え、
前記導光板を前記第１部材と前記第２部材とで挟んだ構造で前記第１部材、前記導光板、及び前記第２部材をユニット化していることを特徴とする請求項１〜３のいずれか１項に記載のバックライト。
【請求項５】
表示パネルと、
前記表示パネルを前記表示パネルの背面から照明するバックライトとを備え、
前記バックライトが請求項１〜４のいずれか１項に記載のバックライトであることを特徴とする表示装置。
【発明の詳細な説明】
【技術分野】
【０００１】
本発明は、導光板を有するバックライト及びそれを備える表示装置に関する。
【背景技術】
【０００２】
表示パネルと、前記表示パネルを前記表示パネルの背面から照明するバックライトとを備える表示装置（例えば透過型液晶表示装置）においては、テレビ受像機などの比較的画面サイズが大きい表示装置である場合、ＣＣＦＬ（Cold Cathode Fluorescent Lamp）やＥＥＦＬ（External Electrode Fluorescent Lamp）等の蛍光管をバックライトの光源として用いる構成が一般的である。
【０００３】
ところが、近年、環境問題などの観点から、蛍光管よりも消費電力が小さいＬＥＤ（Light Emitting Diode）をバックライトの光源に用いている表示装置、すなわち、ＬＥＤバックライトを有する表示装置が脚光を浴びている。
【先行技術文献】
【特許文献】
【０００４】
【特許文献１】特開２０１０−２６２０８号公報（要約）
【発明の概要】
【発明が解決しようとする課題】
【０００５】
ＬＥＤバックライトを有する表示装置は、すでに製品化されて市場に出回っているが、ＬＥＤ自体の寿命（約３００００時間）が蛍光管の寿命の約半分と短いため、製品寿命が短くなっている。
【０００６】
ＬＥＤは熱特性が悪く、ＬＥＤに流れる電流が多いほど輝度は上昇する。しかし結果としてＬＥＤは高温になり輝度特性が悪化するばかりか寿命も短くなる。逆に、ＬＥＤに流れる電流を少なくし、輝度を上げないで使用する時間が長いほど、高温になる時間が短くなり、長寿命となる。
【０００７】
一般的にバックライトは直下型バックライトとエッジ型バックライトとに大別される。直下型バックライトは導光板を備えない構成であるのに対して、エッジ型バックライトは導光板を備える構成である。
【０００８】
エッジ型バックライトに備えられる導光板として、一般的にアクリル樹脂の成形体が用いられるが（例外として特許文献１参照）、アクリル樹脂製の導光板は比較的に熱に弱いため、導光板のエッジ部分に配置される光源が高温になると、光源温度の影響を受けて熱変形してしまい、その結果、導光板への入射光量が大きく減少したり部分的に減少したりして、エッジ型バックライトを搭載した表示装置の表示画面の輝度が低下したり、当該表示画面に色ムラが発生したりするという問題があった。
【０００９】
ＬＥＤは上述の通りＬＥＤに流れる電流が多いほど高温になるため、上記の問題はエッジ型ＬＥＤバックライトで顕著であるが、導光板を有し光源が高温になることがあるバックライトであればエッジ型ＬＥＤバックライトと同様に上記の問題が起こる。
【００１０】
本発明は、上記の状況に鑑み、輝度の低下や色ムラを低減することができるバックライト及びそれを備える表示装置を提供することを目的とする。
【課題を解決するための手段】
【００１１】
上記目的を達成するために本発明に係るバックライトは、光源と、前記光源から出射される光を入射する導光板とを備え、前記導光板の主材料を塩化ビニリデン樹脂にしている。
【００１２】
このような構成によると、塩化ビニリデン樹脂の耐熱温度が高いため、導光板の熱変形を抑えることができる。これにより、導光板への入射光量が大きく減少したり部分的に減少したりすることを低減することができる。その結果、当該バックライトを備える表示装置の表示画面の輝度が低下したり当該表示画面に色ムラが発生したりすることを低減することができる。
【００１３】
また、前記光源としては、例えばＬＥＤが挙げられる。
【００１４】
光源に蛍光管を用いる場合よりもＬＥＤを用いる場合の方が、バックライト駆動中の光源の温度が高くなる。このため、光源にＬＥＤを用いるバックライト（ＬＥＤバックライト）では本発明の効果が顕著になる。
【００１５】
また、前記導光板の縁部は拘束されていることが望ましい。
【００１６】
これにより、導光板の外力による変形を抑えることができる。
【００１７】
また、シート状または板状の第１部材と、シート状または板状の第２部材とを備え、前記導光板を前記第１部材と前記第２部材とで挟んだ構造で前記第１部材、前記導光板、及び前記第２部材をユニット化していることが望ましい。
【００１８】
これにより、第１部材及び第２部材との剛性を高くすることによって、導光板の外力による変形をより一層抑えることができる。
【００１９】
上記目的を達成するために本発明に係る表示装置は、表示パネルと、前記表示パネルを前記表示パネルの背面から照明する上記いずれかの構成のバックライトとを備えるようにする。
【発明の効果】
【００２０】
本発明によると、バックライトに備えられる導光板の熱変形を抑えることができる。その結果、当該バックライトを備える表示装置の表示画面の輝度が低下したり、当該表示画面に色ムラが発生したりすることを低減することができる。
【図面の簡単な説明】
【００２１】
【図１】本発明の一実施形態に係る表示装置の概略機能構成図である。
【図２】本発明の一実施形態に係る表示装置の要部分解斜視図である。
【発明を実施するための形態】
【００２２】
本発明の実施形態について図面を参照して以下に説明する。
【００２３】
図１は本発明の一実施形態に係る表示装置の概略機能構成図である。本発明の一実施形態に係る表示装置は、映像処理部１と、液晶表示制御部２と、信号ドライバ３と、走査ドライバ４と、液晶表示パネル５と、駆動回路６と、エッジ型ＬＥＤバックライト７とを備える液晶表示装置である。
【００２４】
映像処理部１は、液晶表示装置の内部で生成された映像信号（例えば、不図示のチューナ部で生成された映像信号など）や液晶表示装置の外部から入力された映像信号に対して、各種の処理を施した後、液晶表示制御部２に出力する。液晶表示制御部２は、映像処理部１から出力された映像信号に従って、信号ドライバ３及び走査ドライバ４を制御する。信号ドライバ３は、液晶表示制御部２の制御に従って、液晶表示パネル５の信号線（不図示）にデータを供給し、走査ドライバ４は、液晶表示制御部２の制御に従って、液晶表示パネル５の走査線（不図示）にデータを供給する。これにより、液晶表示パネル５が駆動する。
【００２５】
駆動回路６は、エッジ型ＬＥＤバックライト７の光源であるＬＥＤ（図１において不図示）に電流を供給する。これにより、エッジ型ＬＥＤバックライト７が液晶表示パネル５を液晶表示パネル５の背面から面状に照明する。
【００２６】
図２は本発明の一実施形態に係る表示装置の要部分解斜視図である。なお、図２において図１と同一の部分には同一の符号を付す。
【００２７】
エッジ型ＬＥＤバックライト７は、パネルシャーシ８と、バックライトの光源であるＬＥＤ９と、反射板１０と、導光板１１と、拡散シート１２と、レンズシート１３と、拡散シート１４と、保持用部材１５とで構成される。
【００２８】
パネルシャーシ８は、例えばアルミニウム合金やステンレス鋼などからなり、高い剛性が確保されている。また、パネルシャーシ８は、図２に示すように、上面、下面、右側面、左側面、及び背面の５面を有する蓋のない箱形状である。
【００２９】
パネルシャーシ８の下面内側には、下面の長手方向に沿って複数のＬＥＤ９が一定間隔で配置されている。図２ではパネルシャーシ８の上面で隠れているが、パネルシャーシ９の上面内側にも、同様に、上面の長手方向に沿って複数のＬＥＤ９が一定間隔で配置されている。
【００３０】
反射板１０、導光板１１、拡散シート１２、レンズシート１３、及び拡散シート１４はパネルシャーシ８に収容され、各板及び各シートの各辺に対応する４つの保持用部材１５によってパネルシャーシ８内に保持される。これにより、各板及び各シートの各縁部が拘束される。保持用部材１５は、パネルシャーシ８に保持用部材１５を係止可能な係止部（不図示）を有しており、各板及び各シートの当該係止部に対応する箇所には切欠き部（不図示）が形成されている。
【００３１】
さらに、液晶表示パネル５もパネルシャーシ８に収容される。なお、液晶表示パネル５の上面にはソース基板１６が設けられている。
【００３２】
導光板１１にはドットパターン（不図示）が形成されており、ＬＥＤ９から出射され導光板１１に入射された光が当該ドットパターンによって液晶表示パネル５側に導かれる。導光板１１の光入射率を向上させ液晶表示パネル５側に多くの光を導くために、ＬＥＤ９は導光板１１に非常に近い位置に設けられる。このため、導光板１１は、ＬＥＤ９で発生する熱の影響を強く受ける。
【００３３】
そこで、本発明の一実施形態に係る表示装置では、ＬＥＤ９で発生する熱の影響を受けて導光板１１が熱変形することを抑えるために、導光板１１の主材料を塩化ビニリデン樹脂にしている。塩化ビニリデン樹脂は無色透明の樹脂であるため、導光板への適用が可能である。
【００３４】
ここで、本発明において導光板の主材料として用いられる塩化ビニリデン樹脂の特徴と、一般的なアクリル樹脂であって導光板の材料として従来から用いられているメタクリル樹脂の特徴とを表１に示す。
【００３５】
【表１】
2012119119.tif 000003
【００３６】
上記の表１から明らかなように、塩化ビニリデン樹脂はメタクリル樹脂に比べて耐熱温度が高い。
【００３７】
エッジ型ＬＥＤバックライトの駆動中にＬＥＤの温度は１００℃近くに達するため、メタクリル樹脂からなる導光板（従来の導光板）では、導光板の温度が導光板の耐熱温度近くあるいは導光板の耐熱温度以上になってしまい、熱変形が起こる。その結果、導光板への入射光量が大きく減少したり部分的に減少したりして、表示装置の表示画面の輝度が低下したり当該表示画面に色ムラが発生したりするという問題が起こっていた。
【００３８】
これに対して、本発明のように塩化ビニリデン樹脂を導光板の主材料にすると、エッジ型ＬＥＤバックライトの駆動中にＬＥＤの温度は１００℃近くに達するにもかかわらず、導光板の耐熱温度が導光板の温度よりもかなり高くなるので、熱変形することを抑えることができ、その結果、輝度の低下や色ムラを低減することができる。
【００３９】
また、上記の表１には記載していないが、塩化ビニリデン樹脂は軟性を有している。このため、主材料が塩化ビニリデン樹脂である導光板は、メタクリル樹脂からなる導光板（従来の導光板）に比べて、外力による変形が起こりやすい。
【００４０】
しかしながら、本発明の一実施形態に係る表示装置では、上述したとおり、導光板１１が保持用部材１５によってパネルシャーシ８内に保持され、導光板１１の縁部が拘束されるので、外力による変形を抑えることができる。
【００４１】
また、導光板１１を反射板１０と拡散シート１２とで挟んだ構造で反射板１０、導光板１１、及び拡散シート１２をユニット化してもよい。このような構造のユニットを用いた場合、反射板１０及び拡散シート１２の剛性を高くすることによって、導光板１１の外力による変形をより一層抑えることができる。したがって、反射板１０及び拡散シート１２の剛性を導光板１１の剛性よりも高くすることが望ましい。上記構造のユニットを形成する方法としては、例えば、反射板１０と導光板１１とを透明の接着剤で接着し、導光板１１と拡散シート１２とを透明の接着剤で接着する方法が挙げられる。
【符号の説明】
【００４２】
１  映像処理部
２  液晶表示制御部
３  信号ドライバ
４  走査ドライバ
５  液晶表示パネル
６  駆動回路
７  ＬＥＤバックライト
８  パネルシャーシ
９  ＬＥＤ
１０  反射板
１１  導光板
１２、１４  拡散シート
１３  レンズシート
１５  保持用部材
１６  ソース基板
【図１】
2012119119.tif 000004
【図２】
2012119119.tif 000005